(57)【要約】【課題】  装着が容易であり、しかもペットが排出する糞尿を、ペットの体表に付着させることなく的確且つ衛生的に捕集し、通気性も確保可能なペット用おむつを提供する。【解決手段】  ペットに装着して使用するペット用おむつであって、排出された糞が下方へ的確に落下するように、後方側面の高さを前方より高くして、且つ袋状に形成された捕集袋部と、前記捕集袋部から延設され、前記捕集袋部をペットの背部から懸吊してペットの排尿部位及び排便部位を下方から覆うようにするための複数のベルト部と、を備える。【選択図】  図１
2006166894.tif 000002
【特許請求の範囲】
【請求項１】
ペットに装着して使用するペット用おむつであって、
排出された糞が下方へ的確に落下するように、後方側面の高さを前方より高くして、且つ袋状に形成された捕集袋部と、
前記捕集袋部から延設され、前記捕集袋部をペットの背部から懸吊してペットの排尿部位及び排便部位を下方から覆うようにするための複数のベルト部と、を備えることを特徴とするペット用おむつ。
【請求項２】
前記捕集袋部の少なくとも前方側面及び底面の内側は、吸水性シートで形成されることを特徴とする請求項１記載のペット用おむつ。
【請求項３】
前記ベルト部は、先端に仮着手段を備えることを特徴とする請求項１又は２記載のペット用おむつ。
【請求項４】
前記仮着手段は粘着手段であることを特徴とする請求項３記載のペット用おむつ。
【発明の詳細な説明】
【技術分野】
【０００１】  本発明は、特に犬などのペットに装着して使用するペット用おむつに関する。
【背景技術】
【０００２】  従来、ペット用おむつに関して各種の改良が行われている。その中には、ペットの尻尾部分における装着を工夫したおむつがある（例えば、特許文献１または２参照）。例えば、特許文献１に開示されたペット用おむつは、尻尾が位置する部分に穴部を設け、そこに尻尾を貫通させることにより、尻尾部分近傍におけるおむつの密着を良好にしたものである。また、特許文献２に開示されたペット用おむつは、その穴部にペットの尻尾を貫通させる煩雑さを解消するため、おむつの縁から穴部へ切り込みを入れ、切り込みを開閉して容易に装着できるようにしたものである。【０００３】  また、密着させたおむつによってペットの体表が蒸れることを防止するため、通気性を改善したペット用おむつも提案されている（例えば、特許文献３参照）。【０００４】  しかしながら、上記従来のペット用おむつは、いずれも形状的、機能的に乳児用の紙おむつに類似し、体に密着させるものであるため、特に散歩中などに糞をする機会が多いというペットの習性に適切に対応したものではなかった。つまり、上記従来のペット用おむつでは、ペットが排便した際に、ペット自身に糞が付着してしまうという課題があった。特にペットは体表の毛足が長いため、排便後すぐにおむつを取り替えたとしても、ペット自身に糞が付着することは避けられなかった。一方、これを解決するため、肛門が位置する部分のおむつに穴部を設け、そこに糞を収容するための袋を付設したペット用おむつも提案されている（例えば、特許文献４参照）。【０００５】  ところが、特許文献４に開示されたペット用おむつでは、糞を収容する袋がおむつに縫着されており、位置を自在に変更することができないため、体型や大きさの異なるペットに柔軟に対応できないという問題や、形状が複雑となるため製造に手間がかかり、製造コストが高くなるという問題、更には、ペットに装着した際の美観が劣るなどの問題があった。
【特許文献１】特開２００４−１５９５９１号公報（第７−１０頁、第１図）
【特許文献２】特開平９−２９８９７１号公報（第２−４頁、第１図）
【特許文献３】特開２００４−１９４５６６号公報（第４−７頁、第１図）
【特許文献４】特開２００３−２２００９０号公報（第２−６頁、第１図）
【発明の開示】
【発明が解決しようとする課題】
【０００６】  近年は、「ペット」から「コンパニオンアニマル」へと呼称が変化していることに代表されるように、動物を飼育することによりもたらされる良好な効果に対する認知度が高まっている。特に、動物を家族同様に愛玩する飼い主にとっては、ペットの健康や安全、衛生に関わる事項は重大な関心事となっている。それに伴い、ペット間連用品もこれまでの実益重視型の製品からペット自身の健康や安全、衛生面に配慮した製品へと選択がシフトしている。【０００７】  そこで本発明は上記従来の課題に鑑みてなされたものであり、装着が容易であり、しかもペットが排出する糞尿を、ペットの体表に付着させることなく的確且つ衛生的に捕集し、通気性も確保可能なペット用おむつを提供することを目的とする。【０００８】  また、単純な形状で、安価に製造することができるペット用おむつを提供することを目的とする。
【課題を解決するための手段】
【０００９】  上記課題を解決するため、本発明のペット用おむつは、ペットに装着して使用するペット用おむつであって、排出された糞が下方へ的確に落下するように、後方側面の高さを前方より高くして、且つ袋状に形成された捕集袋部と、前記捕集袋部から延設され、前記捕集袋部をペットの背部から懸吊してペットの排尿部位及び排便部位を下方から覆うようにするための複数のベルト部と、を備えることを特徴とする。
上記構成によれば、ペットの体表におむつが密着しないので、糞尿がペットの体表に付着することなく、的確且つ衛生的に糞尿を捕集することができる。また、蒸れが発生する恐れがない。【００１０】  また、本発明のペット用おむつは、請求項１記載のペット用おむつであって、前記捕集袋部の少なくとも前方側面及び底面の内側は、吸水性シートで形成されることを特徴とする。
上記構成によれば、捕集袋部の前方側面及び底面で捕集される可能性が特に高い尿を的確に捕集し、また、はね返りや逆流などによってペットの体表に付着することを防止できる。【００１１】  また、本発明のペット用おむつは、請求項１又は２記載のペット用おむつであって、前記ベルト部は、先端に仮着手段を備えることを特徴とする。
上記構成によれば、おむつを懸吊するベルト部の着脱が容易に行え、その長さも自在に変更することができるので、ペットの体型や大きさに応じておむつを的確に懸吊することができる。【００１２】  また、本発明のペット用おむつは、請求項３記載のペット用おむつであって、前記仮着手段は粘着手段であることを特徴とする。
上記構成によれば、例えば両面テープなどを用いて、ベルト部先端に仮着手段を容易に形成することができる。
【発明の効果】
【００１３】  本発明のペット用おむつによれば、糞尿の排出時及び捕集の際にペットの体表にそれらが付着することがないため、ペットの体表を衛生的に保つことができる。しかも装着時にペットの体表に密着しないため、従来のおむつで問題となっていた通気性不足による蒸れなども防止できる。また、仮着手段により懸吊する構造であるため、着脱が容易に行える。更に、構成が単純であるため、装着時の外観も良好である。
【発明を実施するための最良の形態】
【００１４】
【００１５】  以下、本発明の実施の形態におけるペット用おむつについて、図面を用いて詳細に説明する。尚、実施の形態を説明するための全図において、同一機能を有する部分は同一符号を付与し、説明は繰り返さないこととする。【００１６】  図１は、本発明の実施の形態におけるペット用おむつの外観を示す図である。ペット用おむつ１００は、主に、捕集袋部１０と、ベルト部１１ａ，１１ｂ及び１２ａ，１２ｂと、粘着テープ部１３と、で構成される。【００１７】  捕集袋部１０とベルト部１１ａ，１１ｂ及び１２ａ，１２ｂは、紙、ビニール等の樹脂、または不織布などを素材とする同一の１枚のシートから形成される。また、捕集袋部１０は、前方側面１０ａの高さよりも後方側面１０ｂの高さが高くなるように形成されている。ベルト部１１ａ、１１ｂ、１２ａ、１２ｂは、ペット胴体の背部から捕集袋部１０を懸吊できる程度の長さに形成され、捕集袋部１０の上部に延設されている。更に、粘着テープ部１３には、両面テープの片側が既にそれぞれのベルト部表面に接着されており、このペット用おむつを使用する際にもう片方の接着面を露出させる。【００１８】  図２は、本発明の実施の形態におけるペット用おむつを装着した状態を示す図である。図に示すように、ベルト部は、１１ａと１２ｂ、１１ｂと１２ａというように、交差させてそれぞれの先端の粘着テープ部１３同士で接着されている。交差させることにより、装着が安定し、ペットが動いても位置が大きくずれることがない。また、ペットの尻尾は、ベルト部１２ａと１２ｂの間の谷間の部分から突出するので、おむつの装着において尻尾が邪魔となることがない。また、捕集袋部１０の後方側面１０ｂは周囲より高く形成されているので、装着時に、ペットの尻尾直下にある肛門部が適切に覆われ、排出された糞が捕集袋部１０へ落下するように適切に誘導される。【００１９】  次に、図３は、本発明の実施の形態におけるペット用おむつのベルト部形状の変形例を示す図である。図に示すように、ベルト部１２ａ，１２ｂの中央近傍に更にベルト部１４ａ，ｂが形成されている。装着時には、ベルト部１４ａと１４ｂとを接着する。【００２０】  図４は、この変形例のペット用おむつを装着した状態を示す図である。ベルト部１４ａと１４ｂとが接合されることにより、装着時における安定性を更に向上させることができる。【００２１】  次に、捕集袋部１０の内部の構成について説明する。図５は、本発明の実施の形態におけるペット用おむつの断面の状態を説明する図である。図に示すように、捕集袋部１０の前方側面１０ａ及び底面１０ｃの内側（図中の斜線部）に、吸水シート２０が形成されている。この吸水シート２０は、ポリアクリル酸ソーダなどの高吸水性樹脂を含むシートで構成される。尚、この吸水シートは予め捕集袋部１０に接着されていてもかまわない。また、吸水シート２０には、消臭効果を有する素材等を含有させてもかまわない。更に、この吸水シートは、捕集袋部１０の後方側面１０ｂにまで延長して形成してもかまわない。【００２２】  但し、捕集袋部１０の後方側面１０ｂは、排出された糞の落下を誘導する部分であるため、この部分に糞が滞留したり、付着したりしないような滑らかな��面（例えば、捕集袋部１０を構成するビニールなど）としておくことが好ましい。【００２３】  上記実施の形態では、粘着テープ部１３同士を接着させた例について説明したが、例えば、粘着テープ部１３をそれぞれのベルト部の中央付近に接着させることにより、ベルト部の長さを短くすることができる。つまり、ペットの体型や大きさに応じて、懸吊させる捕集袋部１０の位置を自在に調整することができる。【００２４】  また、上記実施の形態では、仮着手段として粘着テープを用いたが、その他にもベルクロテープで着脱可能としたり、ベルト部の先端を鉤状に形成して互いに引っ掛けるようにして仮着するなど、あらゆる仮着手段を用いてよい。【００２５】  尚、上記実施の形態では、装着対象を犬とした例について説明したが、これにとらわれるものではなく、その他の動物などにも適用可能であり、その際には、ベルト部の長さや捕集袋部の形状、更にはおむつを構成する素材等を適切に変化させたおむつとしてよいことは言うまでもない。【００２６】  以上、説明したように、本発明のペット用おむつは、比較的単純な形状であるため、少ない工程数で安価に製造することができる。
【産業上の利用可能性】
【００２７】  本発明に関わるペット用おむつは、装着が容易であり、しかもペットが排出する糞尿を、ペットの体表に付着させることなく的確且つ衛生的に捕集できるという効果を有し、外出時などに一時的に使用するペット用おむつとして有用である。
【図面の簡単な説明】
【００２８】
【図１】  本発明の実施の形態におけるペット用おむつの外観を示す図
【図２】  本発明の実施の形態におけるペット用おむつを装着した状態を示す図
【図３】  本発明の実施の形態におけるペット用おむつのベルト部形状の変形例を示す図
【図４】  ベルト部の変形例のペット用おむつを装着した状態を示す図
【図５】  本発明の実施の形態におけるペット用おむつの断面の状態を説明する図
【符号の説明】
【００２９】  １０  捕集袋部
１０ａ  捕集袋部の前方側面
１０ｂ  捕集袋部の後方側面
１０ｃ  捕集袋部の底面
１１ａ，１１ｂ  ベルト部
１２ａ，１２ｂ  ベルト部
１３  粘着テープ部
１４ａ，１４ｂ  ベルト部
２０  吸水シート
【図１】
2006166894.tif 000003
【図２】
2006166894.tif 000004
【図３】
2006166894.tif 000005
【図４】
2006166894.tif 000006
【図５】
2006166894.tif 000007